(57)【特許請求の範囲】
【請求項１】
引戸本体と、この引戸本体が収納される戸袋とを有し、この戸袋に外形寸法が異なる複数種類がある引戸装置において、
前記複数種類の戸袋の外形部のそれぞれが、これらの戸袋について共通となっている共通部材で形成された共通部と、前記複数種類の戸袋のうちの少なくとも一つの戸袋には用いられていない独自部材を含んで形成された独自部とを備えて形成され、
前記共通部が複数個の前記共通部材で形成されているとともに、前記独自部は前記独自部材を含む複数個の部材で形成され、これらの共通部及び独自部における全部の部材が上下方向に並設され、これらの部材のうち、前記共通部を形成する部材が下側で、前記独自部を形成する部材が上側に配置され、
前記共通部と前記独自部は、下地部材と、この下地部材に取り付けられた外面形成部材とを含んで形成され、
前記共通部の前記下地材と前記外面形成部材とが、前記共通部の前記共通部材となっており、
前記共通部の前記下地材は上下に複数個あり、これらの下地材の間に前記共通部の前記外面形成部材が配置されているとともに、これらの下地材のうち、最下段の前記下地材の上下寸法は他の前記下地材の上下寸法よりも大きく、かつ前記最下段の前記下地材の下側にも前記共通部の前記外面形成部材が配置され、
前記共通部に上下に複数個設けられている前記下地材のうち、最も上側に配置されている前記下地材までの高さが、前記共通部の高さ寸法となっており、
前記共通部の前記最も上側に配置されている前記下地材と、前記独自部の前記下地材との間に、前記独自部の前記外面形成部材が配置されていることを特徴とする引戸装置。
【請求項２】
請求項１に記載の引戸装置において、前記共通部を形成している複数個の前記共通部材のうちの少なくとも一つの部材を用いることにより、前記複数種類の戸袋のうちの少なくとも一つの戸袋の前記独自部が形成されていることを特徴とする引戸装置。
【請求項３】
引戸本体と、この引戸本体が収納される戸袋とを有し、この戸袋が前記引戸本体の両方の面を覆う一方の面と他方の面とを有する袋状になっているとともに、これらの面の外形寸法が異なる引戸装置において、
前記戸袋の一方の面と他方の面が、これらの面について共通となっている共通部材で形成された共通部と、少なくとも１個の独自部材を含んで形成された独自部とを備えて形成され、
前記共通部が複数個の前記共通部材で形成されているとともに、前記独自部は前記独自部材を含む複数個の部材で形成され、これらの共通部及び独自部における全部の部材が上下方向に並設され、これらの部材のうち、前記共通部を形成する部材が下側で、前記独自部を形成する部材が上側に配置され、
前記共通部と前記独自部は、下地部材と、この下地部材に取り付けられた外面形成部材とを含んで形成され、
前記共通部の前記下地材と前記外面形成部材とが、前記共通部の前記共通部材となっており、
前記共通部の前記下地材は上下に複数個あり、これらの下地材の間に前記共通部の前記外面形成部材が配置されているとともに、これらの下地材のうち、最下段の前記下地材の上下寸法は他の前記下地材の上下寸法よりも大きく、かつ前記最下段の前記下地材の下側にも前記共通部の前記外面形成部材が配置され、
前記共通部に上下に複数個設けられている前記下地材のうち、最も上側に配置されている前記下地材までの高さが、前記共通部の高さ寸法となっており、
前記共通部の前記最も上側に配置されている前記下地材と、前記独自部の前記下地材との間に、前記独自部の前記外面形成部材が配置されていることを特徴とする引戸装置。
【請求項４】
請求項３に記載の引戸装置において、前記共通部を形成している複数個の前記共通部材のうちの少なくとも一つの部材を用いることにより、前記独自部が形成されていることを特徴とする引戸装置。
【請求項５】
請求項１〜４のいずれかに記載の引戸装置において、前記下地部材は、前記引戸本体の移動方向に細長い細長状部材となっていることを特徴とする引戸装置。
【請求項６】
請求項５に記載の引戸装置において、細長状部材となっている前記下地部材は、前記戸袋の外側と内側のうちの少なくとも一方へ屈曲した屈曲部を有している屈曲材となっていることを特徴とする引戸装置。
【請求項７】
請求項１〜６のいずれかに記載の引戸装置において、前記共通部と前記独自部の外側には、これらの共通部と独自部の両方を覆う外側部材が配置されていることを特徴とする引戸装置。
【請求項８】
請求項１〜７のいずれかに記載の引戸装置において、前記引戸本体は、この引戸本体の上方に配置されて引戸本体の移動を案内するガイド部材から吊り下げられた上吊り式であることを特徴とする引戸装置。
【発明の詳細な説明】
【０００１】
【発明の属する技術分野】
本発明は、出入口等の開口部を引戸本体が開閉する引戸装置に係り、例えば、引戸本体が上方のガイド部材から吊り下げられて案内移動する上吊り式の引戸装置等に利用できるものである。
【０００２】
【背景技術】
建物内の部屋と廊下を仕切るためや、部屋同士等を仕切るために上吊り式の引戸装置が用いられ、この上吊り式の引戸装置では、引戸本体の上方に配置されたガイドレールから引戸本体が吊り下げられ、ガイド部材になっているこのガイドレールに案内されて引戸本体が移動することにより出入口等の開口部が開閉され、開口部を開いた引戸本体は戸袋に収納される。
【０００３】
この上吊り式引戸装置の戸袋には、戸袋が壁の内部に設けられた壁収納式のものと、壁とは構造的及び外観的に異なっていて外部に露出した形式で形成されている露出式のものとがある。
【０００４】
壁収納式の戸袋は、石膏ボード等の壁の外面を形成するための部材と同じ材料による壁形成部材を下地部材に取り付けることにより形成され、また、露出式の戸袋は、戸袋骨組み材にパネルを取り付けることにより形成されている。
【０００５】
また、上吊り式引戸装置は各種の建物や構造物において各種用途で用いられることから、各種寸法のものが用意され、その寸法に応じた大きさでそれぞれの引戸本体、戸袋が形成される。
【０００６】
従来、壁収納式及び露出式の戸袋では、それぞれの外形寸法となった戸袋を得るために、これらの戸袋と対応する寸法となった前記下地部材や前記パネル等を生産し、これにより所定の外形寸法となった各種の戸袋を形成することが行われていた。
【０００７】
【発明が解決しようとする課題】
これによると、外形寸法が異なる各種の戸袋を形成するためには、これらの戸袋毎に寸法が異なる多数の部材を生産しなければならず、この結果、部材生産コストが高くなることや部材管理が面倒になるなどの不都合が生ずる。
【０００８】
本発明の目的は、外形寸法が異なる各種の戸袋を部材の共通化を図って形成できるようになる引戸装置を提供するところにある。
【０００９】
【課題を解決するための手段】
本発明に係る引戸装置は、引戸本体と、この引戸本体が収納される戸袋とを有し、この戸袋に外形寸法が異なる複数種類がある引戸装置において、前記複数種類の戸袋の外形部のそれぞれが、これらの戸袋について共通となっている共通部材で形成された共通部と、前記複数種類の戸袋のうちの少なくとも一つの戸袋には用いられていない独自部材を含んで形成された独自部とを備えて形成されていることを特徴とするものである。
【００１０】
この引戸装置によると、外形寸法が異なる複数種類の戸袋のそれぞれが、これらの戸袋について共通となっている共通部材で形成された共通部と、複数種類の戸袋のうちの少なくとも一つの戸袋には用いられていない独自部材を含んで形成された独自部とを備えて形成されているため、少なくとも共通部における共通部材はそれぞれの戸袋について共通化された部材となる。このため、その分だけ外形寸法が異なる複数種類の戸袋を部材の共通化を図って形成でき、部材コストの低減、部材管理の容易化を達成できる。また、独自部を形成する部材の寸法を決めることにより、この部材を含んで形成される独自部の寸法を任意に設定することができ、これにより、共通部と独自部とを備えて形成されるそれぞれの戸袋の外形部を必要とされる大きさにすることが可能になる。
【００１１】
本発明において、それぞれの戸袋を形成する共通部と独自部は、戸袋の縦方向に並べられていてもよく、横方向に並べられていてもよく、戸袋の厚さ方向に並べられていてもよく、これらの方向のうちの少なくとも２つ方向に複合されて並べられていてもよい。
【００１２】
すなわち、本発明は、寸法が異なる複数種類の戸袋のその寸法の相違が、戸袋の縦寸法（高さ寸法）についてである場合と、横寸法についてである場合と、戸袋の厚さ寸法についてである場合と、これらの寸法のうちの少なくとも２つについてである場合とに適用できる。
【００１３】
また、これらの戸袋の縦方向、横方向、厚さ方向のそれぞれにおける共通部と独自部の配置位置とその個数は任意であり、その一例として、戸袋の縦方向に配置した２個の共通部の間に１個の独自部を設けてもよく、あるいは、戸袋の縦方向に配置した２個の独自部の間に１個の共通部を配置してもよい。
【００１４】
また、共通部を形成している共通部材が複数個ある場合には、これらの共通部材のうちの少なくとも一つの部材を用いることにより、複数種類の戸袋のうちの少なくとも一つの戸袋の独自部を形成してもよい。
【００１５】
これによると、複数種類の戸袋のうちの少なくとも一つの戸袋の独自部も、共通部の共通部材を用いることにより形成されるため、部材の共通化を一層図ることができる。
【００１６】
また、戸袋が引戸本体の両方の面を覆う一方の面と他方の面とを有する袋状になっている場合には、以上の本発明は、これらの一方の面と他方の面の両方に適用してもよく、どちらかの面だけに適用してもよい。
【００１７】
さらに、本発明は、戸袋が引戸本体の一方の面だけを覆う片側式の戸袋になっている場合にも適用できる。
【００１８】
また、本発明に係る引戸装置は、引戸本体と、この引戸本体が収納される戸袋とを有し、この戸袋が前記引戸本体の両方の面を覆う一方の面と他方の面を有する袋状になっているとともに、これらの面の外形寸法が異なる引戸装置において、前記戸袋の一方の面と他方の面が、これらの面について共通となっている共通部材で形成された共通部と、少なくとも１個の独自部材を含んで形成された独自部とを備えて形成されていることを特徴とするものである。
【００１９】
これによると、戸袋の一方の面と他方の面との外形寸法が、どちらかの面に無目等が存在するために相違している場合において、これらの面は共通部材で形成された共通部を有して形成されるため、この共通部により、戸袋を部材の共通化を図って形成できるようになる。
【００２０】
引戸装置の戸袋がこのように形成されている場合においても、戸袋の一方の面と他方の面における共通部と独自部は、戸袋の縦方向に並べられていてもよく、横方向に並べられていてもよく、戸袋の厚さ方向に並べられていてもよく、これらの方向のうちの少なくとも２つ方向に複合されて並べられていてもよい。
【００２１】
すなわち、寸法が異なる戸袋の一方の面と他方の面についてのその寸法の相違は、戸袋の縦寸法（高さ寸法）についてである場合と、横寸法についてである場合と、戸袋の厚さ寸法についてである場合と、これらの寸法のうちの少なくとも２つについてである場合とのうちのいずれでもよい。
【００２２】
そして、戸袋の一方の面と他方の面における縦方向、横方向、厚さ方向のそれぞれにおける共通部と独自部の配置位置とその個数は任意であり、その一例として、戸袋の縦方向に配置した２個の共通部の間に１個の独自部を設けてもよく、あるいは、戸袋の縦方向に配置した２個の独自部の間に１個の共通部を配置してもよい。
【００２３】
さらに、以上の本発明に係る戸袋は、壁の内部に設けられるタイプ、すなわち壁収納式のものでもよく、壁とは構造等において相違していて外部に露出した形式となっている露出式のものでもよい。
【００２４】
なお、以上において、戸袋の外形寸法、及び戸袋の一方の面と他方の面の外形寸法とは、一例として、戸袋用補強材である下地部材に戸袋用外面形成部材が取り付けられている戸袋については、これらの下地部材と外面形成部材が配置されている範囲の寸法をいう。
【００２５】
また、共通部が複数個の共通部材で形成されているとともに、独自部が前記独自部材を含む複数個の部材で形成され、これらの共通部及び独自部における全部の部材が上下方向に並設される場合には、これらの部材のうち、共通部を形成する部材を下側とし、独自部を形成する部材を上側に配置することが好ましい。
【００２６】
これによると、先に共通部を形成する部材を積み上げ方式で下から順に配置し、この後、独自部を形成する部材を下から順に配置することにより所定の高さ寸法となった戸袋を形成することができ、高さ寸法が異なる複数種類の戸袋について、共通部を形成する部材を積み上げ方式で下から順に配置する作業までを共通化することができることから、戸袋の組み立て作業の共通化も図ることができる。
【００２７】
以上において、戸袋を形成している共通部と独自部を形成する部材の種類及び個数、そしてこれらの共通部と独自部の構造等は任意である。その一例は、共通部と独自部を、下地部材と、この下地部材に取り付けられた外面形成部材とを含んで形成することである。
【００２８】
このように共通部と独自部を、下地部材と、この下地部材に取り付けられた外面形成部材とを含んで形成する場合において、下地部材は、共通部、独自部と対応する大きな大きさのものとしてもよく、あるいは、互いに隣接している共通部と独自部との隣接方向における寸法よりもこの隣接方向と直交しかつ戸袋の厚さ方向とも直交する方向における寸法が大きくなった細長状部材としてもよい。
【００２９】
下地部材を後者のように細長状部材とすると、下地部材の大きさは小さくなるため、下地部材を軽量化することができ、これにより、戸袋を組み立てるとき等における下地部材の取り扱いを容易に行える。
【００３０】
また、下地部材を細長状部材とする場合には、この下地部材を平板状の部材としてもよいが、戸袋の外側と内側のうちの少なくとも一方へ屈曲した屈曲部を有する屈曲材とすることが好ましい。
【００３１】
これによると、前記外面形成部材が取り付けられ、戸袋の補強材となっている下地部材は屈曲部を有する屈曲材となるため、その強度は大きくなり、細長状部材となっていて軽量化されている下地部材の強度を必要とされる大きさにできる。
【００３２】
このように下地部材を屈曲部を有する屈曲材とする場合には、この下地部材は、アングル材、チャンネル材（リップ付きとリップ無しの両方を含む）、Ｉ型材、Ｈ型材、Ｔ型材等のいずれでもよく、また、長さ方向と直角をなす幅方向の途中部に戸袋の内側と外側のうちの少なくとも一方へ屈曲突出した屈曲突出部を有しているものでもよい。
【００３３】
以上において、戸袋を形成する共通部と独自部の外側には、これらの共通部と独自部の両方を覆う外側部材を配置してもよく、配置しなくてもよい。外側部材と配置すると、戸袋が共通部と独自部を含む複数の部分で形成されていても、共通部と独自部を外側部材で連結状態にすることができ、また、戸袋の厚さを大きくできるため、戸袋の強度の向上を図ることができる。
【００３４】
以上の本発明は各種構造、形式の引戸装置に適用でき、その一例は、引戸本体が上方に配置されたガイド部材から吊り下げられ、このガイド部材が戸袋の内部まで延びている上吊り式引戸装置である。また、他の例は、引戸本体が下方の床に施設されたガイドレールに案内されて移動する引戸装置である。
【００３５】
前者の引戸装置において、ガイド部材はガイドレールでもよく、スライディングレールでもよい。
【００３６】
また、前者及び後者の引戸装置において、引戸本体の移動は人手操作によって行われてもよく、駆動装置によって行われてもよい。また、この駆動装置は、引戸本体の閉じ移動と開き移動の両方を自動的に行うものでもよく、これらのいずれか一方を自動的に行い、他方を人手操作で行うものでもよい。
【００３７】
この駆動装置の駆動原理は任意なものでよく、例えば、蓄圧されたばね力によって引戸本体を引っ張り移動させる渦巻きばね式のものでもよく、シリンダで引戸本体を移動させるシリンダ式のものでもよく、モータで回転するピニオンやベルト等で引戸本体を移動させるモータ式のものでもよく、電磁石の吸引力、反発力で引戸本体を移動させるリニアモータ式のもの等でもよい。
【００３８】
また、駆動装置はガイド部材等の不動部材側に取り付けてもよく、移動する引戸本体等の移動体側に取り付けてもよい。
【００３９】
また、本発明は、引戸本体の移動が引戸本体の自重で自動的になされるように、上記ガイド部材が引戸本体の閉じ側又は開き側に下り傾斜で固定的に配置され、又は閉じ側と開き側に傾斜方向が可変に配置された引戸装置にも適用できる。この場合におけるガイド部材は、引戸本体の移動方向へ連続した１本のものでもよく、途中で分割されて複数本となったものでもよい。
【００４０】
さらに、本発明が適用される引戸装置は、引戸本体が１個のものでもよく、複数個のものでもよい。引戸装置が複数個の引戸本体を備えている場合において、これらの引戸本体は引き分け式となっていてもよく、引き違い式になっていてもよく、これら両方のものが組み合わせられたものでもよく、さらには、引戸本体が戸袋を間に挟んでその両側に配置された引戸装置にも本発明を適用できる。
【００４１】
このように、複数個の引戸本体を備えた引戸装置に本発明を適用するとき、その戸袋は１個の引戸本体を収納するためのものでもよく、複数個の引戸本体を収納するためのものでもよい。
【００４２】
【発明の実施の形態】
以下に本発明の実施形態を図面に基づいて説明する。初めに、本実施形態に係る引戸装置の全体を説明する。
【００４３】
図１は、本実施形態に係る引戸装置の全体を示す正面図である。この引戸装置は、建物内の廊下と部屋との間を開閉自在に仕切るための室内用仕切り手段として設置され、引戸本体１は把持部１Ａを把持することにより左右動させることができ、左右動すると引戸本体１は、無目２と引戸本体戸先側の縦枠３と壁４と床５とに囲まれて形成されている出入口用の開口部６を開閉し、この開口部６を開いたときの引戸本体１の大部分は壁４の内部に形成されている戸袋７に収納される。すなわち、本実施形態に係る引戸装置は、開口部６を開いたときの引戸本体１が収納される戸袋７が壁４の内部に設けられている壁収納型の引戸装置になっている。
【００４４】
また、引戸装置の外枠組み体の基本構造は、無目２と、引戸本体戸先側の縦枠３と、引戸本体戸尻側の縦枠８とで形成され、この引戸本体戸尻側の縦枠８により戸袋７の終端部が形成されている。
【００４５】
無目２は、無目本体２Ａと、この無目本体２Ａに設けられた点検用カバー２Ｂとからなり、点検用カバー２Ｂは、この無目本体２Ａに設けられているねじ孔に螺合される止めねじ等の止め具２Ｃで取り付け、取り外し自在になっており、したがって、無目本体２Ａに対して点検用カバー２Ｂは開閉自在となっている。無目本体２Ａは、図１のＳ５―Ｓ５線断面図である図５に示されているように、戸袋７まで延びる長さを有し、点検用カバー２Ｂは、図１に示すように、無目本体２Ａの全長のうち、開口部６の上方に位置する部分だけに設けられている。
【００４６】
無目２の内部には、引戸本体１を移動させるための移動機構が配置されており、図２及び図３には、この移動機構が示されている。図２は、この移動機構によって引戸本体１が閉じ限位置に達しているときを示し、図３は、引戸本体１が開き限位置に達しているときを示す。
【００４７】
図２に示すように、無目本体２Ａの内部には引戸本体１の移動を案内するためのガイド部材であるガイドレール１０が組み込まれ、上記移動機構を形成する部材であって、無目本体２Ａの略全長に亘る長さを有するこのガイドレール１０は、図１のＳ４―Ｓ４線断面図である図４に示すとおり、無目本体２Ａの内部に設けられている取付部材１１に取り付けられ、戸袋７の内部まで延びている。同一断面形状が長さ方向に連続しているこのガイドレール１０は、取付部材１１に取り付けられた基部１０Ａと、この基部１０Ａの下端から引戸本体１の厚さ方向に水平に延びるアーム部１０Ｂと、このアーム部１０Ｂの先端から垂直に立ち上がった係合部１０Ｃとを有する。
【００４８】
図２で示すように、引戸本体１には、ローラブラケット１３，１４に回転自在に取り付けられた２個のローラ１５，１６が引戸本体１の移動方向に配設され、ローラブラケット１３，１４を介して引戸本体１の上部に配置されているこれらのローラ１５，１６は、図４に示すように、引戸本体１の上方に不動部材となって水平に架設されているガイドレール１０の係合部１０Ｃに係合している。このため、引戸本体１は、ローラ１５，１６が係合部１０Ｃ上を転動することによりガイドレール１０に沿って移動するとともに、引戸本体１は、ガイドレール１０の係合部１０Ｃにローラ１５，１６及びローラブラケット１３，１４を介して吊り下げられた上吊り式となっている。
【００４９】
また、図１に示すように、戸袋７に近い開口部６の床５には、垂直軸を中心に回転自在となったガイドローラ１７が配置され、このガイドローラ１７は、図４に示すとおり、引戸本体１の下端に下向きに開口して配置されているチャンネル部材１Ｂの内部に挿入されており、ガイドレール１０に沿った引戸本体１の移動は、引戸本体１の下端がこのガイドローラ１７で案内されながらなされる。
【００５０】
図２に示されているように、ガイドレール１０の引戸本体開き側の端部には、引戸本体１を開き限位置に停止させるためのストップ装置２０が取り付けられ、このストップ装置２０は、引戸本体閉じ側に向けて本体２１に突設されたゴム等の弾性材料からなるストップ部材２２と、本体２１に取り付けられた小径ローラによる被係止部材２３とを有する。一方、引戸本体１に設けられている２個のローラブラケット１３，１４のうち、引戸本体開き側のローラブラケット１４の後端には板状の受け部材２４が結合され、この受け部材２４には板ばねの折り曲げで形成されている係止部材２５が取り付けられている。
【００５１】
引戸本体１を前記把持部１Ａで開き側に移動させ、この移動が開き限位置に達すると、図３に示されているように、被係止部材２３には、一旦上向きに湾曲変形してもとの形状に弾性復帰する係止部材２５が係止するとともに、受け部材２４はストップ部材２２に当接し、これにより引戸本体１は開き限位置に停止する。
【００５２】
また、引戸本体１の把持部１Ａに引戸本体閉じ側への操作力を作用させた場合には、被係止部材２３から上向きに弾性変形する係止部材２５が離脱するため、引戸本体１はガイドレール１０とガイドローラ１７に案内されて閉じ側へ移動する。
【００５３】
また、図２及び図３に示されているように、引戸本体１に設けられている２個のローラブラケット１３，１４のうち、引戸本体閉じ側のローラブラケット１３には、引戸本体１を閉じ移動させるための駆動装置３０のケーシング３０Ａがブラケット３１で取り付けられている。駆動装置３０はケーシング３０Ａ内に回転自在に収納されたリール３３を有し、このリール３３の内部には渦巻きばねが配置され、この渦巻きばねの一端はリール３３に結合されているとともに、他端はケーシング３０Ａに結合されている。
【００５４】
また、リール３３には、図２及び図３で示されているナイロン紐又はワイヤー等からなる紐状部材３４が巻かれているとともに、この紐状部材３４の一端が結合されている。この紐状部材３４はケーシング３０Ａから導出され、紐状部材３４の他端は、不動部材であって前述した外枠組み体を形成している縦枠３に設けられたフック部材３５に係止されている。
【００５５】
図２で示すように閉じ限位置に達している引戸本体１を把持部１Ａで図３に示すように開き側へ移動させたときには、紐状部材３４がリール３３を回転させながら駆動装置３０のケーシング３０Ａから繰り出され、このとき、リール３３の内部の上記渦巻きばねがリール３３の回転で蓄圧されるようになっている。このため、この後に把持部１Ａから手を離すと（引戸本体１が図３のように閉じ限位置に達しているときには、前述のように、把持部１Ａに操作力を作用させて被係止部材２３から係止部材２５を離脱させると）、渦巻きばねの蓄圧力によってリール３３には、引戸本体１の開き移動時とは逆方向へ引戸本体１を移動させようとする回転力が生じているため、この回転力で緊張している紐状部材３４の引張力によって引戸本体１は閉じ側へ引っ張られ、リール３３が回転して紐状部材３４を巻き取ることにより、引戸本体１は閉じ限位置まで自動的に移動する。
【００５６】
したがって、本実施形態における引戸本体１を閉じ側へ自動的に移動させるための駆動装置３０は渦巻きばね式であるとともに、紐状部材３４の引張力による引張式駆動装置となっている。
【００５７】
図２及び図３に示すように、ガイドレール１０には、閉じ側への引戸本体１の移動速度を低速化させて制動させ、引戸本体１を閉じ限位置に減速させて到達させるための制動装置４０が取り付けられている。この制動装置４０は、シリンダ本体４１と、シリンダ本体４１にガイドレール１０の長さ方向に伸縮自在に挿入されたピストンロッド４２とを有するシリンダ装置で構成され、シリンダ本体４１は、不動部材となっているガイドレール１０に取り付けられている。
【００５８】
図２及び図３で示すように、引戸本体１に２個設けられているローラブラケット１３，１４のうち、引戸本体開き側のローラブラケット１４には、ピストンロッド４２の先端部が挿抜自在となったキャッチ部材４４が取り付けられ、ピストンロッド４２の先端部と、この先端部が挿入されるキャッチ部材４４の内部とのうち、一方には磁石が設けられ、他方にはこの磁石に吸着する磁性材料が設けられている。このため、ピストンロッド４２とキャッチ部材４４とは、磁力で接続分離自在となっている。
【００５９】
図２に示すように引戸本体１が閉じ限位置に達しているときには、シリンダ本体４１に対して収縮しているピストンロッド４２の先端部がキャッチ部材４４の内部に挿入された状態になっており、引戸本体１を開き側へ移動させると、ピストンロッド４２の先端部とキャッチ部材４４とが上記磁力で接続されているため、ピストンロッド４２はシリンダ本体４１に対して伸び作動する。このピストンロッド４２が伸び作動限に達してもさらに引戸本体１が開き側に移動すると、図３に示すように、ピストンロッド４２とキャッチ部材４４とが分離し、ピストンロッド４２はその位置で停止する。また、引戸本体１が前記引張式駆動装置３０の駆動力で閉じ側へ移動し始め、そして引戸本体１が所定位置に達すると、キャッチ部材４４はピストンロッド４２に当接してこれらのキャッチ部材４４とピストンロッド４２とが上記磁力で再度接続され、引戸本体１がさらに閉じ側へ移動することにより、ピストンロッド４２はシリンダ本体４１に対して収縮作動する。
【００６０】
なお、ピストンロッド４２の先端部と、この先端部が挿入されるキャッチ部材４４の内部とに互いに磁性が逆となった磁石を設けることにより、ピストンロッド４２とキャッチ部材４４とを上記と同様に接続分離自在としてよい。
【００６１】
シリンダ本体４１には、ピストンロッド４２が伸び作動したときに多量のエアをシリンダ本体４１の内部に吸引し、ピストンロッド４２が収縮作動したときにはこのエアを絞りながら排出するバルブが設けられている。このため、ピストンロッド４２が伸び作動する引戸本体１の開き移動時には、引戸本体１を軽く移動させることができ、また、ピストンロッド４２が収縮作動する引戸本体１の閉じ移動時には、引戸本体１がシリンダ本体４１の内部のエア圧力によって制動されながら移動し、減速された速度で閉じ限位置に達するようになっている。
【００６２】
図１で示すように、戸袋７の箇所には、横方向（戸袋７の幅方向であって、引戸本体１の移動方向）に細長い下地部材５０が配置され、細長状部材となっているこの下地部材５０は、上下方向に間隔を開けて複数設けられている。これらの下地部材５０は、戸袋７の幅方向両端部まで達する同じ長さを有しているが、図１の実施形態に係る戸袋７には、図５に示されているように、上下寸法が異なる４種類の下地部材５０Ａ，５０Ｂ，５０Ｃ，５０Ｄが用いられている。
【００６３】
すなわち、戸袋７の両方の面において、言い換えると、引戸本体１の一方と他方の面において、最下段の下地部材５０は上下寸法が最も大きい下地部材５０Ａであり、最下段から２段目と３段目の下地部材５０は上下寸法が最も小さい下地部材５０Ｄである。下地部材５０Ａ同士、最下段から２段目の下地部材５０Ｄ同士、最下段から３段目の下地部材５０Ｄ同士は、それぞれ同じ高さ位置に配置されている。図５における右側の最上段の下地部材５０、言い換えると、図１で示された側の最上段の下地部材５０は、上下寸法が３番目に大きい下地部材５０Ｃであり、図５における左側の最上段の下地部材５０は、上下寸法が２番目に大きい下地部材５０Ｂである。この下地部材５０Ｂの上に無目２の本体２Ａが配置されている。
【００６４】
これらの下地部材５０は金属板の折り曲げで形成されており、下地部材５０の全体斜視図である図９で示すとおり、長さ方向と直角をなす幅方向の途中部、すなわち、上下方向の途中部には、下地部材５０の厚さ方向に屈曲突出しかつ下地部材５０の長さ方向へ連続して延びている屈曲突出部５１が形成されており、この突出方向は戸袋７の外側である。このように、それぞれの下地部材５０は戸袋７の外側へ屈曲した部分を有する屈曲材となっており、これらの下地部材５０は、上下の幅狭のフランジ部５２から屈曲突出部５１の屈曲部５１Ａが直角又は略直角に折り曲げられたものとなっている。
【００６５】
図１のＳ８−Ｓ８線断面図である図８に示すように、戸袋７の引戸本体閉じ側端部には見切り材としての竪額縁９が設けられ、この竪額縁９には戸袋７の内側において引戸本体開き側へ延びる延出部９Ａが設けられている。また、竪額縁９には補助部材５３が取り付けられ、アングル材からなるこの補助部材５３には、戸袋７の内外方向への間隔を開けて延出部９Ａと平行に引戸本体開き側へ延びる延出部５３Ａが設けられている。これらの延出部９Ａと５３Ａとの間にそれぞれの下地部材５０の一方の端部が挿入され、これらの端部はドリルねじ等の止着具５４で補助部材５３に止められており、また、それぞれの下地部材５０の他方の端部は前述した戸尻側の縦枠８にドリルねじ等の止着具５４で止められている。
【００６６】
図５に示すように、内部が戸袋７となっている壁４の一方と他方の外面は、以上の下地部材５０と、戸袋７の内外方向（壁４の厚さ方向）に重ねられた外面形成部材５５及び外側部材５６で形成され、石膏ボード製であるこれらの外面形成部材５５と外側部材５６のうち、外面形成部材５５は、上下に間隔を開けて平行に配設されている下地部材５０同士の間に組み込まれているとともに、最下段の下地部材５０Ａの下側にも外面形成部材５５が配置されている。これらの外面形成部材５５の厚さは下地部材５０の図９で示した屈曲部５１Ａの幅寸法Ｗと対応しており、下地部材５０同士の間に配置されているそれぞれの外面形成部材５５は、上下端部が下地部材５０のフランジ部５２に押し当てられている。図９に示すとおり、これらのフランジ部５２には両面粘着テープ５７が予め取り付けられているため、外面形成部材５５はこれらの両面粘着テープ５７で下地部材５０に固定されている。
【００６７】
図７は図５の一部拡大図であり、最下段の下地部材５０Ａにおける両方のフランジ部５２に、この下地部材５０Ａの上下に配置されている外面形成部材５５が図９で示された両面粘着テープ５７で固定されており、この下地部材５０Ａ以外の下地部材５０についても、これと同様に外面形成部材５５がフランジ部５２に両面粘着テープ５７で固定されている。
【００６８】
また、それぞれの外面形成部材５５の前記開口部６側の端部は、図８で示した竪額縁９の延出部９Ａと補助部材５３の延出部５３Ａとの間に挿入されている。
【００６９】
図６は図５で示された戸袋７の下部の拡大図であり、戸袋７の下部には内外二重の幅木５８，５９が配置され、内側の幅木５８の両端立上部５８Ａと外側の幅木５９の両端立上部５９Ａとの間に最下段の外面形成部材５５の下端部が挿入されている。
【００７０】
図５に示すように、以上のように配置された下地部材５０及び外面形成部材５５の外側に大面積を有する外側部材５６が配置され、この外側部材５６は、下地部材５０の屈曲突出部５１、補助部材５３の延出部５３Ａ、外側の幅木５９の両端立上部５９Ａにステープル等の止着具で結合されている。
【００７１】
この外側部材５６は、図５に示すとおり、上下に並設されているそれぞれの下地部材５０及び外面形成部材５５の全部を覆い、したがって床５から無目２を超えるまでの大きな上下寸法を有するとともに、図８に示すとおり、戸袋７から外れた壁４の部分まで延びる大きな横寸法を有するものである。このため、外側部材５６は、戸袋７の箇所から外れた壁４の部分の外側部材にもなっており、この外側部材５６の施工後、外側部材５６の表面にビニルクロス等の化粧部材が被せられることにより、戸袋７の箇所を含めた壁４が仕上られている。
【００７２】
以上において、図５で示されている外面形成部材５５のうち、右側の全部の外面形成部材５５と左側の下から３段目までの外面形成部材５５は、上下寸法が大きい外面形成部材５５Ａであり、左側の最上段の外面形成部材５５は、外面形成部材５５Ａよりも上下寸法が小さい外面形成部材５５Ｂである。
【００７３】
図５で示されている下地部材５０Ａ〜Ｄと外面形成部材５５Ａ，５５Ｂと外側部材５６とにより、図５の実施形態に係る戸袋７の外形部Ａが形成され、この外形部Ａは、床５から無目２の本体２Ａの上面までの高さ寸法がＨ１となっている。
【００７４】
この外形部Ａは、下地部材５０Ａ〜Ｄと外面形成部材５５Ａ，５５Ｂと外側部材５６を、引戸装置の施工現場で前述したとおり前記竪額縁９の延出部９Ａと補助部材５３の延出部５３Ａとの間に挿入する作業等によって形成され、これらの下地部材５０Ａ〜Ｄと外面形成部材５５Ａ，５５Ｂと外側部材５６のうち、上下方向に並設されている下地部材５０Ａ〜Ｄと外面形成部材５５Ａ，５５Ｂについては、下の部材から順番に積み上げる方式による作業で配置されている。
【００７５】
すなわち、外側部材５６を除く外形部Ａのうちの図５の右側については、初めに、複数の外面形成部材５５Ａのうちの最下段の外面形成部材５５Ａを配置する作業を行い、次いで、下地部材５０Ａ，５０Ｃ，５０Ｄのうちの最下段の下地部材５０Ａの配置作業を行い、これ以後、図５に示されているとおりに下から順番にそれぞれの外面形成部材及び下地部材の配置作業を行う。また、図５の左側については、初めに複数の外面形成部材５５Ａ，５５Ｂのうちの最下段の外面形成部材５５Ａを配置する作業を行い、次いで、下地部材５０Ａ，５０Ｂのうちの最下段の下地部材５０Ａの配置作業を行い、これ以後、図５に示されているとおりに下から順番にそれぞれの外面形成部材及び下地部材の配置作業を行う。
【００７６】
この後、図５の右側と左側について、大きな面積を有する外側部材５６を下地部材５０及び外面形成部材５５の外側に配置する作業が行われ、次いで、この外側部材５６の表面にビニルクロス等の化粧部材を被せる作業が行われる。
【００７７】
図１０〜図１３は、外形部Ａの高さ寸法が前記Ｈ１よりも順番に小さい高さ寸法Ｈ２〜Ｈ５になっている戸袋７を示す。図５の戸袋７を含むこれらの戸袋７の高さ寸法Ｈ１〜５は、引戸装置が設置される建物の天井高さや、前記無目２及び戸袋７の上端が結合される建物側のブラケット等の高さ位置等に応じて設定されたものである。
【００７８】
図１０〜図１３の戸袋７において、外形部Ａの左右両側における床５から２段目の下地部材５０Ｄまでの高さ寸法は、図５の戸袋７と同じＬとなっている。また、この高さ寸法Ｌ内に配置された下地部材５０と外面形成部材５５の種類及び下からの配置順序は、図５の戸袋７の場合と全く同じである。
【００７９】
すなわち、床５からの高さ寸法Ｌ内に配置されていて、図５、図１０〜図１３の戸袋７の外側部材５６を除く外形部Ａを形成している下地部材５０Ａ，５０Ｄ及び外面形成部材５５Ａは、これらの戸袋７についての共通部材となっており、これらの下地部材５０Ａ，５０Ｄ及び外面形成部材５５Ａで形成される高さ寸法Ｌの個所が、これらの戸袋７の外形部Ａにおける共通部Ｂになっている。
【００８０】
この共通部Ｂの上に、図５、図１０〜図１３の戸袋７毎に高さ寸法が異なる独自部Ｃが設けられ、高さ寸法Ｌにこれらの独自部Ｃの高さ寸法が加えられることにより、図５、図１０〜図１３の高さ寸法Ｈ１〜５となったそれぞれの戸袋７が形成されている。
【００８１】
図１０の戸袋７における独自部Ｃの右側は、下から順番に外面形成部材５５Ａ、下地部材５０Ｄ、外面形成部材５５Ｂ、下地部材５０Ｄで形成され、左側は、下から順番に外面形成部材５５Ａ、下地部材５０Ｄ、外面形成部材５５Ｃ、下地部材５０Ｅ、無目２の本体２Ａで形成されている。外面形成部材５５Ｃは外面形成部材５５Ｂよりも上下寸法が小さく、下地部材５０Ｅの上下寸法は、下地部材５０Ｃよりも小さくて下地部材５０Ｄよりも大きい。
【００８２】
図１１の戸袋７における独自部Ｃの右側は、下から順番に外面形成部材５５Ａ、下地部材５０Ｄ、外面形成部材５５Ｃ、下地部材５０Ｆで形成され、左側は、下から順番に外面形成部材５５Ａ、下地部材５０Ｇ、無目２の本体２Ａで形成されている。下地部材５０Ｆの上下寸法は、下地部材５０Ｃよりも小さくて下地部材５０Ｅよりも大きい。また、下地部材５０Ｇの上下寸法は、下地部材５０Ｃよりも小さくて下地部材５０Ｆよりも大きい。
【００８３】
図１２の戸袋７における独自部Ｃの右側は、下から順番に外面形成部材５５Ａ、下地部材５０Ｈで形成され、左側は、下から順番に外面形成部材５５Ａ、下地部材５０Ｅ、無目２の本体２Ａで形成されている。下地部材５０Ｈの上下寸法は、下地部材５０Ｂよりも小さくて下地部材５０Ｃよりも大きい。
【００８４】
図１３の戸袋７における独自部Ｃの右側は、下から順番に外面形成部材５５Ａ、下地部材５０Ｉで形成され、左側は、下から順番に外面形成部材５５Ｂ、下地部材５０Ｊ、無目２の本体２Ａで形成されている。下地部材５０Ｉの上下寸法は、下地部材５０Ｇよりも小さくて下地部材５０Ｆよりも大きい。下地部材５０Ｊの上下寸法は、下地部材５０Ｇよりも小さくて下地部材５０Ｉよりも大きい。
【００８５】
以上において、図５の独自部Ｃでは、図１０〜図１３の戸袋７で用いられていない下地部材５０Ｃと、図１１、図１２の戸袋７で用いられていない外面形成部材５５Ｂがそれぞれ使用され、図１０の独自部Ｃでは、図５、図１１及び図１３の戸袋７で用いられていない下地部材５０Ｅと、図５、図１２〜図１３の戸袋７で用いられていない外面形成部材５５Ｃがそれぞれ使用されている。また、図１１の独自部Ｃでは、図５、図１０、図１２及び図１３の戸袋７で用いられていない下地部材５０Ｆ，５０Ｇと、図５、図１２及び図１３の戸袋７で用いられていない外面形成部材５５Ｃがそれぞれ使用され、図１２の独自部Ｃでは、図５、図１０、図１１及び図１３の戸袋７で用いられていない下地部材５０Ｈが使用され、図１３の独自部Ｃでは、図５、図１０〜図１２の戸袋７で用いられていない下地部材５０Ｉと、図１１及び図１２の戸袋７で用いられていない外面形成部材５５Ｂがそれぞれ使用されている。
【００８６】
したがって、図５、図１０〜図１３のそれぞれの戸袋７の独自部Ｃは、これらの戸袋７のうちの少なくとも一つの戸袋７で用いられていない独自部材を含んで形成されている。
【００８７】
また、以上の図５、図１０〜図１３における戸袋７において、これらの戸袋７の共通部Ｂの共通部材となっている下地部材５０Ｄは、図５、図１０及び図１１における戸袋７の外側部材５６を除く外形部Ａの独自部Ｃを形成するものとなっており、また、これらの戸袋７の共通部Ｂの共通部材となっている外面形成部材５５Ａも、図５、図１０〜図１３における戸袋７の外側部材５６を除く外形部Ａの独自部Ｃを形成するものとなっている。
【００８８】
図１０〜図１３の戸袋７についても、図５の戸袋７と同様に、共通部Ｂを形成する外面形成部材５５Ａ、下地部材５０Ａ，５０Ｄを下からの順番にしたがって積み上げ方式で配置して共通部Ｂを形成した後、それぞれの独自部Ｃを形成する外面形成部材５５Ａ〜Ｃ、下地部材５０Ａ〜Ｊを下からの順番にしたがって積み上げ方式で配置する作業が行われ、この後、それぞれの戸袋７について、共通部Ｂと独自部Ｃの両方を覆う外側部材５６が配置され、次いで、この外側部材５６の表面にビニルクロス等の化粧部材を被せる作業が行われる。
【００８９】
また、下地部材５０Ｅ〜Ｊについても、図９で示した下地部材５０Ａ〜Ｄと同様に、長さ方向と直角をなす幅方向の途中部、すなわち、上下方向の途中部に、、下地部材５０の厚さ方向に屈曲突出しかつ下地部材５０の長さ方向へ連続して延びている屈曲突出部５１が形成されており、この屈曲突出部５１と上下の幅狭のフランジ部５２との間は、屈曲突出部５１の直角又は略直角に折り曲げられた屈曲部５１Ａとなっている。また、上下のフランジ部５２には、両面粘着テープ５７が取り付けられている。
【００９０】
以上説明した本実施形態によると、図５、図１０〜図１３で示された高さ寸法Ｈ１〜５の戸袋７の外形部Ａは、これらの戸袋７について共通となっている共通部材で形成された共通部Ｂと、図５、図１０〜図１３の戸袋７のうちの少なくとも一つの戸袋には用いられていない独自部材を含んで形成された独自部Ｃとを備えて形成されているため、少なくとも共通部Ｂにおける共通部材はそれぞれの戸袋７について共通化された部材となる。このため、その分だけ高さ寸法が異なる戸袋７を部材の共通化を図って形成でき、部材コストの低減、部材管理の容易化等を達成できる。また、独自部Ｃを形成する部材の高さ寸法を決めることにより、この部材を含んで形成される独自部Ｃの高さ寸法を任意に設定することができ、これにより、共通部Ｂと独自部Ｃとを備えて形成されるそれぞれの戸袋７の外形部Ａを必要とされる高さ寸法にすることができる。
【００９１】
また、共通部Ｂを形成している共通部材である下地部材５０Ｄと外面形成部材５５Ａは、図５、図１０〜図１３の戸袋７のうちの少なくとも一つの戸袋７の独自部Ｃを形成するための部材にもなっており、このため、高さ寸法がＨ１〜５となっている各種の戸袋７を形成する際に、部材の共通化を一層有効に図ることができる。
【００９２】
また、共通部Ｂが複数個の共通部材で形成されているとともに、独自部Ｃも複数個の部材で形成され、これらの共通部Ｂ及び独自部Ｃにおける全部の部材が上下方向に並設されているとともに、これらの部材のうち、共通部Ｂを形成する部材は下側となり、独自部Ｃを形成する部材は上側となっているため、先に共通部Ｂを形成する部材を積み上げ方式で下から順に配置し、この後、独自部Ｃを形成する部材を下から順に配置することにより所定の高さ寸法Ｈ１〜５となったそれぞれの戸袋７を形成することができ、高さ寸法が異なる各種の戸袋７について、共通部Ｂを形成する部材を積み上げ方式で下から順番に配置する作業までを共通化することができることにより、戸袋７の組み立て作業の共通化も図ることができる。
【００９３】
また、共通部Ｂと独自部Ｃは、下地部材５０と、この下地部材５０に取り付けられた外面形成部材５５とを含んで形成され、下地部材５０は、互いに上下に隣接している共通部Ｂと独自部Ｃとの隣接方向における上下寸法よりもこの隣接方向と直交しかつ戸袋７の厚さ方向とも直交する方向における左右寸法が大きくなった細長状部材となっているため、下地部材を共通部Ｂ、独自部Ｃと同じ又は略同じ大きな面積を有するものとした場合よりも、下地部材５０を軽量化することができ、これにより、戸袋７を組み立てるとき等における下地部材５０の容易な取り扱い性を確保できるようになる。
【００９４】
また、下地部材５０は戸袋７の内外方向へ屈曲突出した屈曲突出部５１を有する屈曲材となっているため、戸袋７の補強材となっている下地部材５０の強度は大きくなり、下地部材５０が細長状部材となっていて軽量化されていても、下地部材５０の強度を必要とされる大きさにできる。
【００９５】
また、戸袋５を形成する共通部Ｂと独自部Ｃの外側には、これらの共通部Ｂと独自部Ｃの両方を覆う外側部材５６が配置されているため、この外側部材５６によって共通部Ｂと独自部Ｃを連結状態にすることができ、また、戸袋７の厚さを大きくできるため、戸袋７の強度を大きくできる。
【００９６】
以上説明した実施形態において、外形寸法が異なる複数種類の戸袋とは、それぞれが別個になっている戸袋の場合であったが、引戸本体の両方の面を覆う戸袋の一方の面と他方の面との外形寸法が異なる場合には、これらの一方の面と他方の面を、共通部材で形成された共通部と、少なくとも１個の独自部材を含んで形成された独自部とを備えたものとして形成してもよい。
【００９７】
これを具体的に説明すると、図５の戸袋７では、この戸袋７の左側の面は、床５から無目本体２Ａの下側までとなっており、これに対して戸袋７の右側の面は、床５から下地部材５０Ｃの上端までとなっており、したがって、これらの面において、戸袋７の縦寸法は相違している。そして、これらの左右両側の面において、床５からＬを超えた下地部材５０Ｄ（それぞれの面において上下２個あるうちの上側の下地部材５０Ｄ）までが、共に下から順番に内側外面形成部材５５Ａ、下地部材５０Ａ、内側外面形成部材５５Ａ、下地部材５０Ｄ、内側外面形成部材５５Ａ、下地部材５０Ｄで形成されており、これらの部材は戸袋７の左右両側の面において共通部材となっているため、戸袋７の左右両側の面において、床５からＬを超えた下地部材５０Ｄまでが共通部となっている。
【００９８】
これに対して、Ｌを超えた下地部材５０Ｄよりも上側における左側の面は、内側外面形成部材５５Ｂと下地部材５０Ｂとで形成され、Ｌを超えた下地部材５０Ｄよりも上側における右側の面は、内側外面形成部材５５Ａと下地部材５０Ｃとで形成されており、これらの左右両側の面では、それぞれを形成している部材が異なっているため、これらの部分が独自部となっている。
【００９９】
このように１個の戸袋についての左右両側の面の縦寸法等の寸法が異なる場合には、その左側の面と右側の面を、共通部材で形成された共通部と、少なくとも１個の独自部材を含んで形成された独自部とにより形成してもよい。このようにした場合においても、１個の戸袋の左右両側の面の共通部を共通部材で形成できるため、戸袋を形成する部材の共通化を図ることができることになる。
【０１００】
【発明の効果】
本発明によると、外形寸法が異なる各種の戸袋を部材の共通化を図って形成できるという効果を得られる。
【図面の簡単な説明】
【図１】本発明の実施形態に係る引戸装置の全体を示す正面図である。
【図２】引戸本体を移動させるための移動機構を示す図であって、引戸本体が閉じ限位置に達しているときを示す図である。
【図３】引戸本体を移動させるための移動機構を示す図であって、引戸本体が開き限位置に達しているときを示す図である。
【図４】図１のＳ４―Ｓ４線断面図である。
【図５】図１のＳ５―Ｓ５線断面図である。
【図６】図５で示された戸袋の下部の拡大図である。
【図７】下地部材の部分を示す図５の一部拡大図である。
【図８】図１のＳ８―Ｓ８線断面図である。
【図９】下地部材の全体斜視図である。
【図１０】高さ寸法が２番目に大きい戸袋を示す図５と同様の図である。
【図１１】高さ寸法が３番目に大きい戸袋を示す図５と同様の図である。
【図１２】高さ寸法が４番目に大きい戸袋を示す図５と同様の図である。
【図１３】高さ寸法が最も小さい戸袋を示す図５と同様の図である。
【符号の説明】
１  引戸本体
４  壁
７  戸袋
１０  ガイド部材であるガイドレール
５０，５０Ａ〜Ｊ  下地部材
５５，５５Ａ〜Ｃ  外面形成部材
５６  外側部材
Ａ  外形部
Ｂ  共通部
Ｃ  独自部
Ｈ１〜５  外形部の高さ寸法
Ｌ  共通部の高さ寸法
【図１】
0004699626.tif 000002
【図２】
0004699626.tif 000003
【図３】
0004699626.tif 000004
【図４】
0004699626.tif 000005
【図５】
0004699626.tif 000006
【図６】
0004699626.tif 000007
【図７】
0004699626.tif 000008
【図８】
0004699626.tif 000009
【図９】
0004699626.tif 000010
【図１０】
0004699626.tif 000011
【図１１】
0004699626.tif 000012
【図１２】
0004699626.tif 000013
【図１３】
0004699626.tif 000014